【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
記録紙に画像を形成する画像形成装置であって、
外部装置からの画像情報を処理する画像処理制御手段と、
前記画像処理制御手段からの制御信号に基づいて前記画像形成装置を制御する画像形成制御手段と、
記録紙を搬送する搬送手段と、
前記搬送手段により搬送される記録紙の有無に関する情報を出力する検出手段と、
を備え、
前記画像形成制御手段は、前記検出手段が出力する前記記録紙の有無に関する情報に基づいて前記記録紙の搬送不良を判定するとともに、前記搬送不良が複数種類の搬送不良のいずれであるかを判定して搬送不良に関する情報を前記画像処理制御手段に送信し、
前記画像処理制御手段は、前記画像形成制御手段から受信した前記搬送不良に関する情報が特定の搬送不良が発生したことを示す情報である場合に、前記特定の搬送不良を解除すべき旨の搬送不良解除信号を前記画像形成制御手段に送信することを特徴とする画像形成装置。
【請求項２】
請求項１に記載の画像形成装置において、
前記画像形成制御手段は、前記記録紙の搬送不良を判定したことに応じて前記搬送手段による記録紙の搬送を停止させるとともに、前記画像処理制御手段から前記搬送不良解除信号を受信したことに応じて前記搬送手段による記録紙の搬送を開始することを特徴とする画像形成装置。
【請求項３】
請求項１又は２に記載の画像形成装置において、
前記搬送不良解除信号を前記画像処理制御手段から画像形成制御手段に送信するために、前記画像処理制御手段に指示信号を入力する入力手段を備え、
前記画像処理制御手段は、前記入力手段により前記指示信号が入力されたことに応じて前記画像形成制御手段に前記搬送不良解除信号を送信することを特徴とする画像形成装置。
【請求項４】
請求項１乃至３のいずれかに記載の画像形成装置において、
前記画像形成制御手段から前記画像処理制御手段に送信された前記搬送不良に関する情報を表示する表示手段を備えたことを特徴とする画像形成装置。
【請求項５】
請求項１乃至４のいずれかに記載の画像形成装置において、
前記記録紙を積載する積載手段を備え、
前記搬送手段は前記積載手段に積載される前記記録紙を給紙し、
前記画像形成制御手段は、前記積載手段から前記記録紙の給紙を開始してから一定の時間が経過しても前記検出手段により前記記録紙が検出されない場合に前記特定の搬送不良が発生したと判定して前記特定の搬送不良に関する情報を前記画像処理制御手段に送信することを特徴とする画像形成装置。
【請求項６】
請求項２又は３に記載の画像形成装置において、
前記画像形成制御手段は、前記画像処理制御手段から前記搬送不良解除信号を受信して前記記録紙の搬送を開始してから一定の時間が経過するまでに前記検出手段が前記特定の搬送不良にかかる記録紙を検出した場合、前記記録紙を排紙するよう前記搬送手段を制御することを特徴とする画像形成装置。
【請求項７】
記録紙に画像を形成する画像形成装置のコントローラにおいて、
前記画像形成装置に発生する複数種類の記録紙の搬送不良が特定種類の搬送不良であるか否かを判定する判定手段と、
前記画像形成装置に発生する前記搬送不良を解除するための入力信号が入力される入力手段と、
前記入力手段に前記入力信号が入力された場合であって、前記判定手段が前記特定種類の搬送不良が発生していると判定している場合に、前記特定の搬送不良を解除するための解除信号を発生する発生手段と、
を備えたことを特徴とする画像形成装置のコントローラ。
【請求項８】
搬送路における記録紙の有無に関する情報に基づいて前記記録紙の搬送不良を判定するステップＡと、
前記搬送不良が複数種類の搬送不良のいずれであるかを判定するステップＢと、
前記ステップＢで特定の搬送不良を判定した場合に、前記特定の搬送不良を解除すべき旨の搬送不良解除信号を発生するステップＣと、
前記ステップＡで記録紙の搬送不良を判定したことに応じて前記記録紙の搬送を停止するステップＤと、
前記ステップ搬送不良解除信号に応じて記録紙の搬送を開始するステップＥと、
を備えたことを特徴とする画像形成装置の制御方法。
【手続補正２】
【補正対象書類名】明細書
【補正対象項目名】発明の名称
【補正方法】変更
【補正の内容】
【発明の名称】画像形成装置、画像形成装置のコントローラ、画像形成装置の制御方法
【手続補正３】
【補正対象書類名】明細書
【補正対象項目名】０００１
【補正方法】変更
【補正の内容】
【０００１】
本発明は、画像形成装置に関し、特にその記録紙（シート材ともいう）の搬送不良の解除に関するものである。
【手続補正４】
【補正対象書類名】明細書
【補正対象項目名】０００６
【補正方法】変更
【補正の内容】
【０００６】
本発明は、このような状況のもとでなされたもので、ジャム処理にユーザの手を煩わせる機会を少なくできる画像形成装置、画像形成装置のコントローラ、画像形成装置の制御方法を提供することを課題とするものである。
【手続補正５】
【補正対象書類名】明細書
【補正対象項目名】０００７
【補正方法】変更
【補正の内容】
【０００７】
前記課題を解決するため、本発明では、画像形成装置を次ぎの（１）ないし（６）のとおりに構成し、画像形成装置のコントローラを次ぎの（７）のとおりに構成し、画像形成装置の制御方法をつぎの（８）のとおりに構成する。
（１）記録紙に画像を形成する画像形成装置であって、
外部装置からの画像情報を処理する画像処理制御手段と、
前記画像処理制御手段からの制御信号に基づいて前記画像形成装置を制御する画像形成制御手段と、
記録紙を搬送する搬送手段と、
前記搬送手段により搬送される記録紙の有無に関する情報を出力する検出手段と、
を備え、
前記画像形成制御手段は、前記検出手段が出力する前記記録紙の有無に関する情報に基づいて前記記録紙の搬送不良を判定するとともに、前記搬送不良が複数種類の搬送不良のいずれであるかを判定して搬送不良に関する情報を前記画像処理制御手段に送信し、
前記画像処理制御手段は、前記画像形成制御手段から受信した前記搬送不良に関する情報が特定の搬送不良が発生したことを示す情報である場合に、前記特定の搬送不良を解除すべき旨の搬送不良解除信号を前記画像形成制御手段に送信する画像形成装置。
（２）前記（１）に記載の画像形成装置において、
前記画像形成制御手段は、前記記録紙の搬送不良を判定したことに応じて前記搬送手段による記録紙の搬送を停止させるとともに、前記画像処理制御手段から前記搬送不良解除信号を受信したことに応じて前記搬送手段による記録紙の搬送を開始する画像形成装置。
（３）前記（１）又は（２）に記載の画像形成装置において、
前記搬送不良解除信号を前記画像処理制御手段から画像形成制御手段に送信するために、前記画像処理制御手段に指示信号を入力する入力手段を備え、
前記画像処理制御手段は、前記入力手段により前記指示信号が入力されたことに応じて前記画像形成制御手段に前記搬送不良解除信号を送信する画像形成装置。
（４）前記（１）乃至（３）のいずれかに記載の画像形成装置において、
前記画像形成制御手段から前記画像処理制御手段に送信された前記搬送不良に関する情報を表示する表示手段を備えた画像形成装置。
（５）前記（１）乃至（４）のいずれかに記載の画像形成装置において、
前記記録紙を積載する積載手段を備え、
前記搬送手段は前記積載手段に積載される前記記録紙を給紙し、
前記画像形成制御手段は、前記積載手段から前記記録紙の給紙を開始してから一定の時間が経過しても前記検出手段により前記記録紙が検出されない場合に前記特定の搬送不良が発生したと判定して前記特定の搬送不良に関する情報を前記画像処理制御手段に送信する画像形成装置。
（６）前記（２）又は（３）に記載の画像形成装置において、
前記画像形成制御手段は、前記画像処理制御手段から前記搬送不良解除信号を受信して前記記録紙の搬送を開始してから一定の時間が経過するまでに前記検出手段が前記特定の搬送不良にかかる記録紙を検出した場合、前記記録紙を排紙するよう前記搬送手段を制御する画像形成装置。
（７）記録紙に画像を形成する画像形成装置のコントローラにおいて、
前記画像形成装置に発生する複数種類の記録紙の搬送不良が特定種類の搬送不良であるか否かを判定する判定手段と、
前記画像形成装置に発生する前記搬送不良を解除するための入力信号が入力される入力手段と、
前記入力手段に前記入力信号が入力された場合であって、前記判定手段が前記特定種類の搬送不良が発生していると判定している場合に、前記特定の搬送不良を解除するための解除信号を発生する発生手段と、
を備えた画像形成装置のコントローラ。
（８）搬送路における記録紙の有無に関する情報に基づいて前記記録紙の搬送不良を判定するステップＡと、
前記搬送不良が複数種類の搬送不良のいずれであるかを判定するステップＢと、
前記ステップＢで特定の搬送不良を判定した場合に、前記特定の搬送不良を解除すべき旨の搬送不良解除信号を発生するステップＣと、
前記ステップＡで記録紙の搬送不良を判定したことに応じて前記記録紙の搬送を停止するステップＤと、
前記ステップ搬送不良解除信号に応じて記録紙の搬送を開始するステップＥと、
を備えたことを特徴とする画像形成装置の制御方法。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
本発明によれば、ジャム処理にユーザの手を煩わせる機会を少なくできるユーザフレンドリな画像形成装置、画像形成装置のコントローラを提供することができる。
【手続補正２２】
【補正対象書類名】明細書
【補正対象項目名】００２４
【補正方法】変更
【補正の内容】
【００２４】
すなわち、特定のジャムの場合、ユーザがジャムクリアボタンを押すだけでジャムクリアが可能となる画像形成装置、画像形成装置のコントローラを提供することができる。
【手続補正２３】
【補正対象書類名】明細書
【補正対象項目名】００２５
【補正方法】変更
【補正の内容】
【００２５】
また、特定のジャムの場合、ユーザがジャムクリアボタンを押すかわりに表示パネルおよび／またはホストコンピュータ上のドライバが自動的にジャムクリアコマンドを送信することで、ユーザの手を煩わせることなく自動的にジャムクリアを行うことができる画像形成装置、画像形成装置のコントローラを提供することができる。
【手続補正２４】
【補正対象書類名】明細書
【補正対象項目名】００２６
【補正方法】変更
【補正の内容】
【００２６】
また、特定のジャムの場合、ＣＰＵまたはエンジンコントローラの判断により自動的にジャムクリアを行うことで、ユーザの手を煩わせることのない画像形成装置、画像形成装置のコントローラを提供することができる。